(57)【特許請求の範囲】
【請求項１】
上方付勢状態で押し込み可能に起立したステムに押下ヘッドが装着された吐出器であって、
前記押下ヘッドは、
前記ステム内に連通して内容物を吐出するノズル孔が形成されたヘッド本体と、
天壁部、前記天壁部から下方に向けて延設されて前記ステムの上端部内に嵌合された装着筒、及び前記天壁部から下方に向けて延設されて前記ステムの上端部を上下方向に直交する径方向の外側から囲繞する囲繞筒を有するとともに、前記ヘッド本体と前記ステムとを連結する装着筒部材と、を備え、
前記囲繞筒には、前記径方向の内側に向けて突出し、前記ステムの外周面から前記径方向の外側に向けて突出する係止突部に、前記係止突部の下方から係合する抜け止め突起が形成され、
前記天壁部のうち、少なくとも前記抜け止め突起と上下方向で対向する部分に、前記天壁部を上下方向のみで貫通する開口部が形成されていることを特徴とする吐出器。
【請求項２】
前記ノズル孔は、前方に向けて開口し、
前記ヘッド本体の内部に、前記ステム内に連通し、かつ前記ノズル孔を通して外部に連通可能な弁室が画成され、
前記弁室に配設されるとともに、前方付勢状態で前記ノズル孔を閉塞する弁部材を備え、
前記装着筒部材は、前記ヘッド本体に対して相対的に上昇移動可能に配設され、
前記弁部材の後端部には、下方に向かうに従い前方に向けて屈曲させられ、その下端部が前記天壁部上に配置され、かつ前記装着筒部材に対する前記ヘッド本体の押下時に前記弁部材を後退移動させるように揺動可能に支持された梃子部材が連結されていることを特徴とする請求項１に記載の吐出器。
【請求項３】
前記係止突部の下面及び前記抜け止め突起の上面が、それぞれ前記径方向に延びる平坦面になっていることを特徴とする請求項１又は請求項２に記載の吐出器。
【請求項４】
前記係止突部の下面のうち、前記径方向の内側部分には前記ステムを上方付勢する付勢部材が配置され、前記径方向の外側部分には前記抜け止め突起が係合することを特徴とする請求項１から請求項３の何れか１項に記載の吐出器。
【発明の詳細な説明】
【技術分野】
【０００１】
本発明は、吐出器に関する。
【背景技術】
【０００２】
容器本体の口部に取り付けられる吐出器として、上方付勢状態で押し込み可能に起立したステムに押下ヘッドが装着された構成が知られている。押下ヘッドは、内容物を吐出するノズル孔が形成されたヘッド本体と、ヘッド本体とステムとを連結する装着筒部材と、を備えている（例えば、下記特許文献１参照）。具体的に、装着筒は、ステム内に嵌合された装着筒と、ヘッド本体に対して相対的に上下摺動可能に配置された囲繞筒と、装着筒と囲繞筒とを連結する天壁部と、を備えている。
【先行技術文献】
【特許文献】
【０００３】
【特許文献１】特開２００７−１６７８３２号公報
【発明の概要】
【発明が解決しようとする課題】
【０００４】
ところで、上述した従来の吐出器にあっては、例えば吐出器が容器本体に取り付けられた状態で、ヘッド本体を把持して持ち上げた際等、ヘッド本体に対して上方に向かう外力が作用する。このとき、ヘッド本体が装着筒部材とともにステムに対して上昇し、押下ヘッド全体がステムから外れるおそれがあった。
【０００５】
そこで、本発明は、上述した事情に鑑みてなされたものであって、押下ヘッドがステムから外れるのを抑制できる吐出器を提供することを目的とする。
【課題を解決するための手段】
【０００６】
上記課題を解決するために、本発明は以下の手段を提案している。
本発明に係る吐出器は、上方付勢状態で押し込み可能に起立したステムに押下ヘッドが装着された吐出器であって、前記押下ヘッドは、前記ステム内に連通して内容物を吐出するノズル孔が形成されたヘッド本体と、天壁部、前記天壁部から下方に向けて延設されて前記ステムの上端部内に嵌合された装着筒、及び前記天壁部から下方に向けて延設されて前記ステムの上端部を上下方向に直交する径方向の外側から囲繞する囲繞筒を有するとともに、前記ヘッド本体と前記ステムとを連結する装着筒部材と、を備え、前記囲繞筒には、前記径方向の内側に向けて突出し、前記ステムの外周面から前記径方向の外側に向けて突出する係止突部に、前記係止突部の下方から係合する抜け止め突起が形成され、前記天壁部のうち、少なくとも前記抜け止め突起と上下方向で対向する部分に、前記天壁部を上下方向のみで貫通する開口部が形成されている。
【０００７】
この構成によれば、装着筒部材がヘッド本体とともにステムに対して上方移動しようとした場合に、囲繞筒の抜け止め突起がステムの係止突部に下方から係合する。これにより、ステムに対する押下ヘッドの上方移動が規制され、ステムに対して押下ヘッドを強固に装着することができるので、押下ヘッドがステムから外れるのを抑制できる。
【０００８】
本発明に係る吐出器において、前記ノズル孔は、前方に向けて開口し、前記ヘッド本体の内部に、前記ステム内に連通し、かつ前記ノズル孔を通して外部に連通可能な弁室が画成され、前記弁室に配設されるとともに、前方付勢状態で前記ノズル孔を閉塞する弁部材を備え、前記装着筒部材は、前記ヘッド本体に対して相対的に上昇移動可能に配設され、前記弁部材の後端部には、下方に向かうに従い前方に向けて屈曲させられ、その下端部が前記天壁部上に配置され、かつ前記装着筒部材に対する前記ヘッド本体の押下時に前記弁部材を後退移動させるように揺動可能に支持された梃子部材が連結されていてもよい。
この構成によれば、押下ヘッドを押し下げる際に、装着筒部材に対してヘッド本体が押し下げられ、梃子部材が揺動することで、弁部材が後退移動する。これにより、ノズル孔が開放される。一方、押下ヘッドの押し下げを解除することで、ステムの上方付勢力によって押下ヘッド全体がステムとともに上方移動する。また、弁部材の前方付勢力によって弁部材が揺動することで、弁部材によってノズル孔が閉塞されるとともに、装着筒部材に対してヘッド本体が上方移動する。
このように、装着筒部材に対するヘッド本体の上下方向への移動に応じてノズル孔が開閉されるので、液切れを向上させることができるとともに、ノズル孔の密閉性を確保できる。
【０００９】
本発明に係る吐出器において、前記係止突部の下面及び前記抜け止め突起の上面が、それぞれ前記径方向に延びる平坦面になっていてもよい。
この構成によれば、係止突部の下面及び抜け止め突起の下面がそれぞれ径方向に延びる平坦面に形成されているため、係止突部及び抜け止め突起同士を上下方向で確実に係合させることができる。これにより、押下ヘッドがステムから外れるのを確実に抑制できる。
【００１０】
本発明に係る吐出器において、前記係止突部の下面のうち、前記径方向の内側部分には前記ステムを上方付勢する付勢部材が配置され、前記径方向の外側部分には前記抜け止め突起が係合していてもよい。
この構成によれば、付勢部材と抜け止め突起の双方を係止突部に接続することができるので、装着筒部材の形状が複雑になるのを抑制できる。そのため、低コスト化を図ることができる。
また、付勢部材と抜け止め突起を係止突部の同一面上で接続することで、付勢部材と抜け止め突起を装着筒部材のうち上下方向で異なる部分に接続する場合に比べて吐出器の上下方向での小型化を図ることができる。
【発明の効果】
【００１１】
本発明に係る吐出器によれば、押下ヘッドがステムから外れるのを抑制できる。
【図面の簡単な説明】
【００１２】
【図１】実施形態に係る吐出容器の軸線方向に沿う断面図である。
【図２】実施形態に係る装着筒部材の底面図である。
【発明を実施するための形態】
【００１３】
以下、図面を参照し、本発明の実施形態を説明する。本実施形態では、容器本体に本発明の吐出器が取り付けられて構成された吐出容器を例にして説明する。
図１に示すように、本実施形態の吐出容器１は、内容物が収容される有底筒状の容器本体２と、容器本体２の口部２ａに着脱可能に装着された吐出器３と、を備えている。
【００１４】
吐出器３は、内容物を吐出するノズル孔１０を有する押下ヘッド１１と、ノズル孔１０に向けて内容物を供給するポンプ１２と、を有している。
ポンプ１２は、装着キャップ２１と、シリンダ２２と、ステム２３と、ステム付勢部材（付勢部材）２４と、ピストン２５と、ピストンガイド２６と、を主に備えている。
【００１５】
ここで、装着キャップ２１、シリンダ２２、ステム２３、ステム付勢部材２４、ピストン２５及びピストンガイド２６は、それぞれ筒状に形成されるとともに、それぞれの中心軸線が共通軸上に位置した状態で配設されている。以下では、この共通軸を軸線Ｏといい、軸線Ｏ方向（上下方向）で吐出器３に向かう方向を上方、容器本体２に向かう方向を下方という。また、軸線Ｏ方向から見た平面視で軸線Ｏに直交する方向を径方向といい、軸線Ｏ周りに周回する方向を周方向という。
【００１６】
装着キャップ２１のうち、容器本体２の口部２ａに装着された下筒部３１の上端部には、径方向の内側に向けて突設された環状の環板部３２が形成されている。環板部３２は、口部２ａの上端開口縁に軸線Ｏ方向で対向している。環板部３２には、上方に向けて延びる上筒部３３が形成されている。上筒部３３は、下筒部３１よりも小径に形成されている。
【００１７】
シリンダ２２は、装着キャップ２１が容器本体２に装着された状態において、容器本体２内に配置される。シリンダ２２は、シリンダ筒３５と、シリンダ筒３５の上端縁から径方向の外側に突設された取付フランジ部３６と、を有している。
取付フランジ部３６は、取付フランジ部３６と口部２ａの上端開口縁との間にパッキンを挟んだ状態で、口部２ａの上端開口縁と上述した環板部３２とに軸線Ｏ方向で挟持されている。
【００１８】
ステム２３は、上方付勢状態で押し込み可能に構成されている。ステム２３は、第１ステム４１及び第２ステム４２を有している。第１ステム４１及び第２ステム４２は、それぞれ軸線Ｏと同軸上に配置された筒状とされている。第１ステム４１は、少なくとも下部がシリンダ筒３５内に収容されている。第１ステム４１の下端部には、上端部に比べて拡径された拡径部４３が形成されている。
【００１９】
第２ステム４２は、第１ステム４１の上端部に外嵌された外嵌筒４５と、外嵌筒４５の上端縁から径方向の外側に向けて突設された係止突部４６と、を備えている。
外嵌筒４５は、第１ステム４１の上端部にアンダーカット嵌合されている。
係止突部４６は、軸線Ｏ方向に沿う縦断面視において、径方向の外側に向かうに従い軸線Ｏ方向の厚さが漸次縮小している。具体的に、係止突部４６の上面は、上方に向けて突の湾曲面に形成されている。一方、係止突部４６の下面は、径方向に延びる平坦面とされている。なお、係止突部４６の上面は、径方向の外側に向かうに従い下方に向けて延びる傾斜面であっても構わない。
【００２０】
本実施形態において、係止突部４６は、第２ステム４２の上端縁に全周に亘って形成されている。但し、係止突部４６は、周方向に間隔をあけて複数配設しても構わない。また、係止突部４６は、軸線Ｏ方向において、第２ステム４２の上端縁以外の位置に配設しても構わない。なお、本実施形態のように、ステム２３を第１ステム４１及び第２ステム４２に分割することで、材料選択の自由度等を向上させることができる。但し、第１ステム４１及び第２ステム４２が一体の構成であっても構わない。
【００２１】
上述したシリンダ筒３５内には、シリンダ２２からの第１ステム４１の抜け止めを行う抜け止め部材５１が設けられている。抜け止め部材５１は、シリンダ筒３５内に嵌合された嵌合筒５２と、嵌合筒５２の上端部から径方向の内側に張り出す規制部５３と、を有している。
嵌合筒５２は、第１ステム４１のうちシリンダ筒３５内に位置する部分を径方向の外側から囲繞している。
規制部５３は、第１ステム４１の拡径部４３に対して上方に配置されるとともに、拡径部４３に対して軸線Ｏ方向で対向する。規制部５３は、第１ステム４１が下方から当接可能とされている。
【００２２】
ステム付勢部材２４は、抜け止め部材５１とステム２３との間に介在して、ステム２３を上方に向けて付勢する。具体的に、ステム付勢部材２４は、ステム２３を径方向の外側から囲繞している。ステム付勢部材２４の下端部は、上述した規制部５３に上方から当接している。ステム付勢部材２４の上端部は、上述した係止突部４６の下面のうち径方向の内側部分に下方から当接している。
【００２３】
ピストン２５は、シリンダ２２内においてステム２３よりも下方に位置する空間に収容されている。ピストン２５は、ステム２３の上下動に連係して、シリンダ筒３５の内周面に密に接した状態で上下摺動可能とされている。
【００２４】
ピストンガイド２６は、軸線Ｏと同軸上に配置された有底筒状の閉塞部材５５と、閉塞部材５５から径方向の外側に突設された台座部５６と、を有している。
閉塞部材５５の上部は、第１ステム４１内に下方から嵌合されている。これにより、閉塞部材５５は、第１ステム４１を下方から閉塞している。閉塞部材５５における周壁部の下部には、閉塞部材５５の内外を連通させる連通孔５７が形成されている。
台座部５６は、閉塞部材５５の周壁部のうち、連通孔５７よりも下方に位置する部分から径方向の外側に突設されている。台座部５６は、シリンダ筒３５内において、ピストン２５を下方から支持している。
【００２５】
押下ヘッド１１は、装着筒部材６１と、ヘッド本体６２と、弁部材６３と、梃子部材６４と、を備えている。
装着筒部材６１は、ヘッド本体６２とステム２３とを連結する。装着筒部材６１は、軸線Ｏと同軸上に配置された有頂筒状とされている。装着筒部材６１は、ステム２３（第１ステム４１）の上端部内に嵌合された装着筒７１と、ステム２３の上端部を径方向の外側から囲繞する囲繞筒７２と、装着筒７１の上端縁及び囲繞筒７２の上端縁同士を接続する天壁部７４と、を備えている。
装着筒７１の上端縁には、装着筒７１内に連通するとともに、上方に向けて延びる摺動筒７５が形成されている。摺動筒７５は、軸線Ｏと同軸上に配置されている。摺動筒７５は、上方に向けて漸次拡径されている。なお、摺動筒７５は、少なくとも下部の外径が装着筒７１の外径よりも小径になっている。
【００２６】
ヘッド本体６２は、ヘッド部７０と、ノズル筒８０と、を有している。
ヘッド部７０は、有頂筒状に形成されている。ヘッド部７０は、周壁部８１が上述した上筒部３３内に挿入された状態で装着筒部材６１を上方から覆っている。具体的に、ヘッド部７０の周壁部８１は、上筒部３３に対して上下動可能に上筒部３３に支持されている。また、ヘッド部７０の周壁部８１内には、上述した装着筒部材６１の囲繞筒７２が周壁部８１の内周面上を上下摺動可能に嵌合されている。ヘッド部７０における周壁部８１の下部には、径方向の内側に膨出する膨出部８２が形成されている。膨出部８２は、囲繞筒７２の下端縁に下方から係止可能とされている。なお、周壁部８１の内周面と、囲繞筒７２の外周面と、の間には、径方向の隙間が設けられていても構わない。
【００２７】
周壁部８１の上部には、径方向のうち第１方向Ｌ１に周壁部８１を貫通する貫通孔８１ａが形成されている。貫通孔８１ａは、周壁部８１のうち第１方向Ｌ１の一方を向く部分に形成されている。なお、以下の説明では、第１方向Ｌ１のうち一方を向く方向を前方といい、他方を向く方向を後方という。
【００２８】
周壁部８１のうち、貫通孔８１ａの開口縁には、前方に向けて延びる接続筒８３が形成されている。周壁部８１のうち、貫通孔８１ａの開口縁には、後方に向けて延びる弁収容部８４が形成されている。弁収容部８４は、第１方向Ｌ１に延びる箱型に形成されている。弁収容部８４の上部は、ヘッド部７０の頂壁部８５に連設されている。弁収容部８４の前端開口部は、貫通孔８１ａを通して接続筒８３内に連通している。
【００２９】
弁収容部８４のうち、頂壁部８５と軸線Ｏ方向で対向する下壁部８７には、下壁部８７を軸線Ｏ方向で貫通する下壁開口８７ａが形成されている。下壁部８７のうち、下壁開口８７ａの開口縁には、下方に向けて延びる垂下筒８８が形成されている。垂下筒８８内には、上述した摺動筒７５が上下摺動可能に嵌合されている。
【００３０】
ノズル筒８０は、軸線Ｏ方向に沿う縦断面視において、上方に向けて突の円弧状に形成されている。具体的に、ノズル筒８０は、前方に向かうに従い下方に向けて垂れ下がっている。なお、ノズル筒８０は、第１方向Ｌ１に沿って直線状に延在していてもよく、前方に向かうに従い上方に向けて延在していてもよい。
【００３１】
ノズル筒８０の後端部は、貫通孔８１ａを通して接続筒８３内及び弁収容部８４内に嵌合されている。ノズル筒８０の前端縁には、ノズル筒８０の内側に突出する内フランジ部８９が形成されている。ノズル筒８０のうち、内フランジ部８９の内側に位置する部分は、前方斜め下方に向けて開口する上述したノズル孔１０を構成している。また、ノズル筒８０及び弁収容部８４は、ノズル孔１０を通して外部に連通するとともに、下壁開口８７ａを通してステム２３内に連通する弁室Ａを構成している。
【００３２】
弁部材６３は、第１方向Ｌ１に移動可能に上述した弁室Ａ内に収容されている。弁部材６３の前部（主にノズル筒８０内に位置する部分）は、前方に向かうに従い下方に向けて垂れ下がっている。弁部材６３の前端部には、弁部材６３の第１方向Ｌ１に沿う移動に伴い、内フランジ部８９の内周縁に後方から接離可能なシール部９５が形成されている。
【００３３】
弁部材６３の後部は、弁収容部８４内において第１方向Ｌ１に沿って延在している。弁部材６３の後部には、後方に向かうに従い漸次拡径するスカート部９１が形成されている。スカート部９１の後端部には、前方に向かうに従い漸次拡径する逆スカート部９２が形成されている。逆スカート部９２は、弁収容部８４の後壁部８６から前方に向けて突設された弁筒９３内に第１方向Ｌ１に沿って摺動可能に嵌合している。なお、スカート部９１と後壁部８６との間には、弁部材６３を前方に向けて付勢する弁付勢部材９４が介在している。なお、本実施形態では、弁部材６３は、前部と後部で分割されているが、この構成のみに限らず、弁部材６３を一体で形成しても構わない。
【００３４】
梃子部材６４は、ヘッド部７０内において、弁収容部８４の外側に位置する部分に配設されている。梃子部材６４は、装着筒部材６１に対するヘッド部７０の下方移動時に弁部材６３を後退移動させる。
梃子部材６４は、軸線Ｏ方向に沿う縦断面視において、Ｌ字状に形成されている。具体的に、梃子部材６４は、軸線Ｏ方向に延びる第１板部１００と、第１板部１００の下端部から前方に屈曲された第２板部１０１と、を備えている。梃子部材６４のうち、第１板部１００と第２板部１０１との接続部分には、軸線Ｏ方向から見た平面視において、第１方向Ｌ１に直交する第２方向Ｌ２に延びる支持ピン１０５が突設されている。支持ピン１０５は、ヘッド部７０の周壁部８１内に嵌合された軸受板１０６に揺動可能に支持されている。なお、軸受板１０６は、ヘッド部７０に一体で設けても構わない。
【００３５】
第１板部１００の上端部は、弁収容部８４の後方において、弁部材６３の後端部（弁収容部８４から後方に突出した部分）に連結されている。
第２板部１０１は、下方に向かうに従い前方に向けて延在している。第２板部１０１の下端部は、梃子部材６４の揺動に伴い、上述した天壁部７４上を摺動可能に構成されている。なお、本実施形態では、例えばステム付勢部材２４の付勢力を、弁付勢部材９４の付勢力よりも大きくしたり、摺動筒７５と垂下筒８８との間の摩擦力や梃子部材６４の揺動時に発生する摩擦力等を適宜設定したりして、装着筒部材６１に対するヘッド本体６２の押下抗力が、ステム２３の押下抗力よりも小さくなっている。
【００３６】
ここで、上述した装着筒部材６１の囲繞筒７２には、径方向の内側に向けて突出する抜け止め突起１１０が形成されている。抜け止め突起１１０は、軸線Ｏ方向に沿う断面視において、径方向の内側に向かうに従い軸線Ｏ方向の厚さが漸次縮小している。具体的に、抜け止め突起１１０の下面は、径方向の内側に向けて上方に延在している。抜け止め突起１１０の上面は、径方向に延びる平坦面に形成されている。抜け止め突起１１０は、上述した係止突部４６の下面のうち、径方向の外側部分に下方から係合可能とされている。したがって、抜け止め突起１１０における径方向の内側端部は、第２ステム４２の外周面に対して径方向で離間している。一方、上述した係止突部４６における径方向の外側端部は、囲繞筒７２の内周面に対して径方向で離間している。
【００３７】
図２に示すように、抜け止め突起１１０は、囲繞筒７２のうち第１方向Ｌ１で対向する部分にそれぞれ配設されている。各抜け止め突起１１０は、囲繞筒７２のうち第１方向Ｌ１で対向する部分を中心として、周方向の両側に延在している。なお、抜け止め突起１１０は、囲繞筒７２の全周に亘って形成されていても構わない。
【００３８】
囲繞筒７２のうち、第２方向Ｌ２で対向する部分には、補強部１１４が形成されている。補強部１１４は、囲繞筒７２のうち、補強部１１４以外の部分よりも径方向の厚さが厚くなっている。
補強部１１４には、径方向の内側に向けて窪むガイド溝１１５が形成されている。ガイド溝１１５内には、ヘッド部７０の周壁部８１に形成された図示しないガイドリブが収容されている。これにより、ヘッド部７０は、装着筒部材６１に対する軸線Ｏ方向への移動が案内されるとともに、装着筒部材６１に対する軸線Ｏ周りの回転が規制されている。
【００３９】
次に、上述した吐出容器１の作用について説明する。以下の説明では、図１に示すように、押下ヘッド１１が上端位置にあり、かつ弁部材６３がノズル孔１０を閉塞している状態を初期状態とする。
図１に示す初期状態において、内容物を吐出させるには、まず押下ヘッド１１を押し下げる。本実施形態において、装着筒部材６１に対するヘッド本体６２の押下抗力が、ステム２３の押下抗力よりも小さくなっている。そのため、ステム２３は押し下げられず、装着筒部材６１に対してヘッド本体６２が押し下げられる。
【００４０】
すると、梃子部材６４は、弁付勢部材９４の前方付勢力に抗して、支持ピン１０５周りに揺動する。具体的に、第２板部１０１の下端部が、装着筒部材６１の天壁部７４により上方に押し上げられることで、天壁部７４上を前方に向けて摺動する。また、第１板部１００が後方に移動することで、弁部材６３が第１板部１００とともに後方に移動する。これにより、弁部材６３のシール部９５が内フランジ部８９の内周縁から離間する。その結果、ノズル孔１０が開放される。
【００４１】
装着筒部材６１に対してヘッド本体６２が押し下げられる過程において、ヘッド本体６２は、垂下筒８８の内周面を装着筒部材６１の摺動筒７５が摺動しながら、装着筒部材６１に対して下方移動する。その後、ヘッド本体６２は、垂下筒８８の下端縁が天壁部７４に上方から当接することで、装着筒部材６１に対する下方移動が規制される。
【００４２】
その後、押下ヘッド１１をさらに押し下げると、ステム２３が装着筒部材６１及びヘッド本体６２とともに下方移動する。ステム２３の下方移動に伴い、ピストン２５は、シリンダ筒３５の内周面上を摺動しながら、ステム２３やピストンガイド２６、押下ヘッド１１とともに下方移動する。そして、ピストン２５が下方移動することで、シリンダ２２内が加圧される。これにより、シリンダ２２内の内容物が、ピストン２５とピストンガイド２６との間の隙間を通って上方に流通し、その後連通孔５７を通してピストンガイド２６内に流入する。ピストンガイド２６内に流入した内容物は、ステム２３（第１ステム４１）内、装着筒部材６１の装着筒７１内及び摺動筒７５内を上方に流通した後、下壁開口８７ａを通って弁室Ａ内に流入する。弁室Ａ内に流入した内容物は、ノズル孔１０を通して外部に吐出される。
【００４３】
押下ヘッド１１の押し下げを解除すると、ステム付勢部材２４の上方付勢力によって、ピストン２５がシリンダ筒３５の内周面上を摺動しながら、ステム２３やピストンガイド２６、押下ヘッド１１とともに上方移動する。ステム２３、ピストン２５及びピストンガイド２６が上方移動することで、シリンダ２２内が減圧される。これにより、容器本体２内の内容物がシリンダ２２内に吸い上げられ、シリンダ２２内に内容物が供給される。なお、例えばステム２３、ピストン２５、ピストンガイド２６及び装着筒部材６１の上方移動は、例えばステム２３が抜け止め部材５１に下方から当接することで停止する。
【００４４】
また、押下ヘッド１１の押し下げを解除すると、弁付勢部材９４の前方付勢力によって弁部材６３が前方に向けて移動する。これにより、弁部材６３のシール部９５が内フランジ部８９の内周縁に当接する。その結果、弁部材６３によってノズル孔１０が閉塞される。また、弁部材６３の前方への移動に伴い、梃子部材６４が支持ピン１０５周りに揺動する。具体的に、第１板部１００が弁部材６３とともに前方に移動する。また、第２板部１０１は、装着筒部材６１の天壁部７４上を摺動しながら後方に移動する。これにより、ヘッド本体６２が装着筒部材６１に対して上方移動する。
その結果、上述した初期状態に復帰する。
【００４５】
ここで、本実施形態の吐出器３において、ヘッド本体６２に対して上方に作用する外力が付与された際に、ヘッド本体６２が装着筒部材６１に対して上方移動する場合がある。ヘッド本体６２が装着筒部材６１に対して上方移動すると、膨出部８２が囲繞筒７２の下端縁に係止される。その後、ヘッド本体６２がさらに上方移動しようとすると、装着筒部材６１がヘッド本体６２とともにステム２３に対して上方移動する。
【００４６】
このとき、本実施形態では、ステム２３の係止突部４６に下方から係合する抜け止め突起１１０が囲繞筒７２に形成されているため、抜け止め突起１１０が係止突部４６に係合することで、ステム２３に対する押下ヘッド１１の上方移動が規制され、ステム２３に対して押下ヘッド１１を強固に装着することができる。これにより、押下ヘッド１１がステム２３から外れるのを抑制できる。
【００４７】
本実施形態では、弁部材６３の後端部に、装着筒部材６１に対するヘッド本体６２の押下時に弁部材６３を後退移動させるように揺動可能に支持された梃子部材６４が連結されている構成とした。
この構成によれば、装着筒部材６１に対するヘッド本体６２の軸線Ｏ方向への移動に応じてノズル孔１０が開閉されるので、液切れを向上させることができるとともに、ノズル孔１０の密閉性を確保できる。
【００４８】
本実施形態では、係止突部４６の下面及び抜け止め突起１１０の下面がそれぞれ平坦面に形成されているため、係止突部４６及び抜け止め突起１１０同士を軸線Ｏ方向で確実に係合させることができる。これにより、押下ヘッド１１がステム２３から外れるのを確実に抑制できる。なお、天壁部７４のうち、各抜け止め突起１１０と軸線Ｏ方向で対向する部分には、天壁部７４を軸線Ｏ方向で貫通する開口部７４ａが形成されている。これにより、装着筒部材６１の成形時において、型抜きが容易になり、金型構造の複雑化を抑えることができる。その結果、抜け止め突起１１０の径方向の突出量を確保した上で、装着筒部材６１を容易に形成することができ、製造効率の向上を図ることができる。
しかも、天壁部７４に開口部７４ａを形成することで、抜け止め突起１１０の上面を成形する部分を有する金型を、型開き時に軸線Ｏ方向に移動させることができる。これにより、径方向への抜き勾配を考慮することがないので、抜け止め突起１１０の上面を径方向に延びる平坦面とすることができ、係止突部４６及び抜け止め突起１１０同士の係合を確実なものとすることができる。
【００４９】
本実施形態では、係止突部４６の下面のうち、径方向の内側部分にステム付勢部材２４が配置され、径方向の外側部分に抜け止め突起１１０が係合する構成とした。
この構成によれば、ステム付勢部材２４と抜け止め突起１１０の双方を係止突部４６に接続することができるので、装着筒部材６１の形状が複雑になるのを抑制できる。そのため、低コスト化を図ることができる。
また、ステム付勢部材２４と抜け止め突起１１０を係止突部４６の同一面上で接続することで、ステム付勢部材２４と抜け止め突起１１０を装着筒部材６１のうち軸線Ｏ方向で異なる部分に接続する場合に比べて吐出器３の軸線Ｏ方向での小型化を図ることができる。
【００５０】
以上、本発明の実施形態について図面を参照して詳述したが、具体的な構成はこの実施形態に限られるものではなく、本発明の要旨を逸脱しない範囲の設計変更等も含まれる。
【００５１】
上述した実施形態では、装着筒部材６１に対するヘッド本体６２の軸線Ｏ方向への移動に応じてノズル孔１０が開閉される、いわゆるシャットオフノズル機構を備えた吐出器３について説明したが、この構成のみに限らず、種々の吐出器に本発明を適用できる。
上述した実施形態では、ノズル孔１０が前方（軸線Ｏ方向に交差する方向）に開口する場合について説明したが、この構成のみに限らず、例えばノズル孔が上向きに開口していても構わない。
【００５２】
上述した実施形態では、装着筒部材６１とヘッド本体６２とが別体である構成について説明したが、この構成のみに限らず、装着筒部材６１とヘッド本体６２とが一体であっても構わない。
【００５３】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００５４】
３…吐出器
１１…押下ヘッド
２３…ステム
２４…ステム付勢部材（付勢部材）
４６…係止突部
６１…装着筒部材
６２…ヘッド本体
６３…弁部材
７１…装着筒
７２…囲繞筒
７４…天壁部
１０…ノズル孔
６４…梃子部材
【図１】
0006637820.tif 000002
【図２】
0006637820.tif 000003